(57)【特許請求の範囲】
【請求項１】
フィルムカートリッジを組立時に予め装填し、撮影により写真フィルムを巻き上げる巻上機構と、この巻上機構の逆巻上を防止する逆巻上防止部材とを備えるフィルム一体型カメラにおいて、
前記逆巻上防止部材を、回動自在に同軸上に軸支した同じ向きの歯を有する複数の同じ歯車に当接させ、
かつ前記複数の同じ歯車を同じ位相に保持する付勢手段を備え、
前記巻上機構の作動により前記複数の歯車の位相をずらすように構成したことを特徴とするフィルム一体型カメラ。
【発明の詳細な説明】
【０００１】
【発明の属する技術分野】
この発明は、組立時に予めフィルムカートリッジを装填しておき、撮影毎に写真フィルムを巻き上げ、撮影済の写真フィルムを取出すフィルム一体型カメラに関するものである。
【０００２】
【従来の技術】
フィルム一体型カメラは、組立時に予めフィルムカートリッジを装填しておき、撮影毎に写真フィルムを巻き上げ、撮影済の写真フィルムを取出す簡易なカメラである。このようなフィルム一体型カメラでは、巻上機構の逆巻上を防止するために、例えば巻上ノブの歯車に、逆巻上防止レバーと当接させておき、巻上ノブの逆巻上を規制するものがある。
【０００３】
また、従来はパトローネ内ブル巻きによる巻き上げ量増加防止、或は撮影時の画像位置の安定を実現するために、パトローネ内スクロールを密巻きに保持するように、一枚爪のラチェット機構を用いて、パトローネスプールに直結した巻き上げノブを一方向にのみ回転するようにしていた。
【０００４】
【発明が解決しようとする課題】
ところで、前者では、巻上ノブに逆巻上防止レバーが常に押圧状態で接触しているため、巻上ノブの回転で常にカチカチと音が発生する。
【０００５】
また、後者でも、ラチェット機構であるため巻き上げ回転時に音がする。このため静寂を求められる場面においては、撮影をはばかられる場合が多かった。
【０００６】
この発明は、かかる点に鑑みてなされたもので、簡単な構造で、巻上音の発生をなくし、あるいは軽減させるフィルム一体型カメラを提供することを目的としている。
【０００９】
【課題を解決するための手段】
前記課題を解決し、かつ目的を達成するために、この発明は、以下のように構成した。
請求項１に記載の発明は、フィルムカートリッジを組立時に予め装填し、撮影により写真フィルムを巻き上げる巻上機構と、この巻上機構の逆巻上を防止する逆巻上防止部材とを備えるフィルム一体型カメラにおいて、
前記逆巻上防止部材を、回動自在に同軸上に軸支した同じ向きの歯を有する複数の同じ歯車に当接させ、
かつ前記複数の同じ歯車を同じ位相に保持する付勢手段を備え、
前記巻上機構の作動により前記複数の歯車の位相をずらすように構成したことを特徴としている。
【００１０】
このように、巻上機構の作動により複数の歯車の位相がずれるため、歯車の歯数が増えた状態になり、複数の歯車に接触している逆巻上防止部材の音が軽減される。巻上機構の作動が停止されると、付勢手段により複数の同じ歯車は同じ位相に保持され、逆巻上防止部材が複数の歯車に係合して逆巻上が規制される。
【００１３】
【発明の実施の形態】
以下、この発明のフィルム一体型カメラを図面に基づいて詳細に説明する。まず、フィルム一体型カメラの参考例を、図１乃至図３に示す。図１はフィルム一体型カメラの平面図、図２は巻上部の側面図、図３は巻上部の平面図である。
【００１４】
このフィルム一体型カメラ１は、写真フィルムが装填された状態で市販に供される簡易なカメラで、写真フィルムがカメラの組立工程で装填され、ユーザーの写真フィルムの装填や巻き戻し等の操作が不要になり、ユーザーは直ちに撮影することができる。
【００１５】
このフィルム一体型カメラ１は、カメラ本体２に、前カバー３と、後カバー４とを両側から組み付けて構成される。カメラ本体２の中央には、撮影部５が設けられ、この撮影部５を挟んで左右の一方にカートリッジ収納室６が、他方にフィルムロール収納室７が設けられている。カートリッジ収納室６にはフィルムカートリッジ８がカメラ下方から装填される。
【００１６】
このフィルム一体型カメラ１には、撮影により写真フィルムＦを巻き上げる巻上機構１０と、この巻上機構１０の逆巻上を防止する逆巻上防止部材１１とが備えられている。巻上機構１０を構成する巻上ノブ１２には、その外周に歯車１２ａが形成され、この巻上ノブ１２には前カバー３から押圧力が与えられ、写真フィルムＦの引っ張りに対向する所定の荷重が与えられ、撮影時の画像位置の安定を実現するために、フィルムカートリッジ８内スクロールを密巻きに保持するようになっている。
【００１７】
逆巻上防止部材１１は後カバー４の内側に設けられ、この逆巻上防止部材１１は巻上機構１０を構成する巻上ノブ１２の歯車１２ａと非接触状態に設定されている。巻上ノブ１２の下側には巻上機構１０の逆巻上により逆巻上防止部材１１を作動させる規制部材を備えている。この規制部材１３は巻上ノブ１２と同心円板状に形成され、規制部材１３の爪部１３ａが逆巻上防止部材１１に対向している。また、後カバー４には、規制部材１３の爪部１３ａを覆うように延出させてストッパ部４ａを形成し、このストッパ部４ａによって規制部材１３が巻上方向へ回転すると、爪部１３ａがストッパ部４ａに当接して規制部材１３の回転が規制される。
【００１８】
このように、逆巻上防止部材１１が、巻上機構１０の巻上ノブ１２の歯車１２ａと非接触状態に設定されており、図３（ａ）に示すように、ユーザーが指で巻上機構１０の巻上ノブ１２を矢印方向に巻き上げるとき、巻上機構１０が作動しても逆巻上防止部材１１によるカチカチ音は発生しない。一方、例えば、図３（ｂ）に示すように、誤って巻上機構１０の巻上ノブ１２が矢印方向に逆巻上されると、規制部材１３の爪部１３ａにより逆巻上防止部材１１が押されて作動して巻上機構１０の巻上ノブ１２の歯車１２ａに係合して逆巻上されることを規制する。
【００１９】
図４はフィルム一体型カメラの実施例を示し、図４（ａ）は巻上前の状態を示し、図４（ｂ）は巻上時の状態を示し、図４（ｃ）は巻上部の断面図である。
【００２０】
このフィルム一体型カメラ１には、撮影により写真フィルムを巻き上げる巻上機構１０と、この巻上機構１０の逆巻上を防止する逆巻上防止部材１１とが備えられている。巻上機構１０は、上下２枚の巻上ノブ２０，２１で構成される。逆巻上防止部材１１は、回動自在に同軸上に軸支した巻上ノブ２０，２１の同じ歯車２０ａ，２１ａに当接させている。この実施例では、巻上ノブ２０，２１が２枚の歯車を重ねた状態に設定されている。
【００２１】
巻上ノブ２０，２１の間には、同じ歯車２０ａ，２１ａを同じ位相に保持する付勢手段２２が備えられ、この付勢手段２２はバネ２３で構成され、巻上機構１０の作動により複数の歯車の位相をずらすように構成されている。即ち、上側の巻上ノブ２０にはガイド孔２０ｂが形成され、下側の巻上ノブ２１に設けたピン部２１ｂがガイド孔２０ｂに位置しており、このピン部２１ｂと上側の巻上ノブ２０との間にバネ２３が設けられている。
【００２２】
従って、通常の巻上前は、図４（ａ）に示すように、上下２枚の巻上ノブ２０，２１の同じ歯車２０ａ，２１ａはバネ２３によって同じ位相に保持され、この上下の歯車２０ａ，２１ａに逆巻上防止部材１１が係合して矢印方向の逆巻上が規制される。
【００２３】
そして、図４（ｂ）に示すように、巻上機構１０の作動により上側の巻上ノブ２０がユーザの指で回転されると、歯車２０ａがバネ２３に抗して回転して複数の歯車２０ａ，２１ａの位相がずれるため、歯車の歯数が増えた状態になり、複数の歯車に接触している逆巻上防止部材１１の音が軽減される。巻上機構１０の作動が停止されると、付勢手段２２のバネ２３により複数の同じ歯車が同じ位相に保持され、逆巻上防止部材１１が複数の歯車２０ａ，２１ａに係合して逆巻上が規制される状態になる。
【００２４】
図５はフィルム一体型カメラのさらに他の実施例を示し、図５（ａ）は巻上前の状態を示し、図５（ｂ）は巻上時の状態を示し、図５（ｃ）は巻上部の断面図である。
【００２５】
この実施例は、図４の付勢手段２２を、上側の巻上ノブ２０に一体に形成した樹脂バネ２４で構成したものであり、この樹脂バネ２４をピン部２１ｂに当接させて上下２枚の巻上ノブ２０，２１の同じ歯車２０ａ，２１ａは同じ位相に保持される。
【００２６】
さらに、図６及び図７はフィルム一体型カメラの参考例を示している。図６の参考例では、フィルム一体型カメラ１は、撮影により写真フィルムを巻き上げる巻上機構１０を備え、この巻上機構１０をウオームギヤ３０により構成している。即ち、巻上機構１０のウォームホイール３１に、カメラの前側に横方向に配置したウォーム３２を噛み合わせ、このウォーム３２の軸部に摘み３３を、カメラの横側に突出させて設けている。
【００２７】
ユーザーが摘み３３を回して巻き上げると、ウォーム３２が回転してウォームホイール３１を連動して回転させて巻き上げるが、ウォームホイール３１に逆巻上の回転力が作用しても回転が規制される。
【００２８】
このように、巻上機構１０がウオームギヤ３０により構成されており、巻上方向にはウオームギヤ３０が回転するが、巻上音は発生しない。一方、巻上方向以外にはウオームギヤ３０の回転が規制され、画像位置が安定する。
【００２９】
図７の参考例では、カメラの右側に縦方向に配置したウォーム３２を、ウォームホイール３１に噛み合わせ、このウォーム３２の軸部に摘み３３を、カメラの後側に突出させて設けている。
【００３０】
図８及び図９はフィルム一体型カメラのさらに他の参考例である。図８の参考例では、標準サイズの撮影用のファインダ４０を有し、ファインダ視野枠７０ａに対応させてファインダレンズ４１，４２が配置され、図９はパノラマサイズの撮影用のファインダ５０を有し、ファインダ視野枠７１ａに対応させてファインダレンズ５１，５２が配置されている。
【００３１】
この両参考例のフィルム一体型カメラ１は、前カバー金型６０，６１のファインダ開口部分を入れ子６２，６３にして様々なプリントアスペクト比のユニットに対して入れ子６２，６３を交換することで、それぞれに対応したファインダ視野枠７０ａ，７１ａを持つ前カバー７０，７１を成形可能にしている。
【００３２】
従来、アスペクト比の異なったフィルム一体型カメラ１に対して前カバーの金型を作っていたが、アスペクト比の異なったフィルム一体型カメラ１に対してそれぞれ前カバーの金型を作っていると金型代がかかる。
【００３３】
このため、前カバー金型６０，６１のファインダ開口部入れ子にしておきプリントアスペクトの異なったフィルム一体型カメラ１、例えば標準サイズの撮影用、ハイビジョンサイズの撮影用、或はパノラマサイズの撮影用等に対して、それぞれに対応したファインダ開口用の入れ子を作り交換して成形することにより金型代を安くすませ、金型代をあまりかけないで様々なプリントアスペクト比に対応できる前カバーを作ることができる。
【００３５】
【発明の効果】
前記したように、請求項１に記載の発明は、逆巻上防止部材を、回動自在に同軸上に軸支した同じ向きの歯を有する複数の同じ歯車に当接させ、かつ複数の同じ歯車を同じ位相に保持する付勢手段を備え、巻上機構の作動により複数の歯車の位相をずらすように構成したから、巻上機構の作動により複数の歯車の位相がずれるため、歯車の歯数が増えた状態になり、複数の歯車に接触している逆巻上防止部材の音が軽減される。一方、巻上機構の作動が停止されると、付勢手段により複数の同じ歯車を同じ位相に保持され、逆巻上防止部材が複数の歯車に係合して逆巻上を規制することができる。
【図面の簡単な説明】
【図１】フィルム一体型カメラの平面図である。
【図２】巻上部の側面図である。
【図３】巻上部の平面図である。
【図４】フィルム一体型カメラの他の実施例を示す図である。
【図５】フィルム一体型カメラのさらに他の実施例を示す図である。
【図６】フィルム一体型カメラの他の実施例を示す図である。
【図７】フィルム一体型カメラのさらに他の実施例を示す図である。
【図８】フィルム一体型カメラの他の実施例を示す図である。
【図９】フィルム一体型カメラの他の実施例を示す図である。
【符号の説明】
１  フィルム一体型カメラ
８  フィルムカートリッジ
１０  巻上機構
１１  逆巻上防止部材
１３  規制部材
Ｆ  写真フィルム
【図１】
0003589418.tif 000002
【図２】
0003589418.tif 000003
【図３】
0003589418.tif 000004
【図４】
0003589418.tif 000005
【図５】
0003589418.tif 000006
【図６】
0003589418.tif 000007
【図７】
0003589418.tif 000008
【図８】
0003589418.tif 000009
【図９】
0003589418.tif 000010